(57)【特許請求の範囲】
【請求項１】
マシンタイプ通信において、基地局または前記基地局によってサービス提供されるユーザ機器（ＵＥ）における送信方式を決定する方法であって、
第１の物理チャネルの第１の送信方式を決定する段階であって、前記第１の送信方式は、データ送信が前記第１の物理チャネル上で行われる方式である、決定する段階と、
前記第１の送信方式および第３の情報に従い、第２の物理チャネルの第２の送信方式を決定する段階であって、前記第２の送信方式は、データ送信が前記第２の物理チャネル上で行われる方式であり、前記第３の情報がフレーム構造タイプおよび前記ＵＥのカテゴリのうちの１または複数である、決定する段階と、を備え、
前記第１の物理チャネルは、物理ダウンリンク制御チャネルであり、前記第１の送信方式は、前記物理ダウンリンク制御チャネル上の前記データ送信の繰り返し数のインデックスであり、
前記第２の物理チャネルは、ブロードキャストまたはマルチキャストデータを有する物理ダウンリンク共有チャネルであり、前記第２の送信方式は、前記物理ダウンリンク共有チャネル上の前記データ送信の繰り返し数であり、
前記第１の送信方式および前記第３の情報に従い、前記第２の物理チャネルの前記第２の送信方式を決定する前記段階は、
前記物理ダウンリンク制御チャネル上の前記データ送信の前記繰り返し数が（ｎ１＋ｋ１＋１）番目の繰り返しであり、ｋ１が整数であり、ｎ１が正の整数である場合、前記物理ダウンリンク共有チャネル上の前記データ送信の前記繰り返し数が（ｎ１）番目の繰り返しであり、
前記フレーム構造タイプが周波数分割デュプレックス若しくは半周波数分割デュプレックスである場合、および前記ＵＥの前記カテゴリが非ゼロ値である場合、ｋ１は０であり、
前記ＵＥの前記カテゴリが０であり、前記フレーム構造タイプが時分割デュプレックスである場合、ｋ１は−２である、方法。
【請求項２】
マシンタイプ通信における通信デバイスであって、
送信部と、
受信部と、
メモリと、
前記送信部と、前記受信部と、前記メモリとに接続されたプロセッサと、を備える通信デバイスであって、
前記プロセッサは、第１の物理チャネルの第１の送信方式を決定し、および前記第１の送信方式および第３の情報に従い、第２の物理チャネルの第２の送信方式を決定し、
前記第１の送信方式は、データ送信が前記第１の物理チャネル上で行われる方式であり、
前記第２の送信方式は、データ送信が前記第２の物理チャネル上で行われる方式であり、
前記第３の情報はフレーム構造タイプおよびユーザ機器（ＵＥ）のカテゴリのうちの１または複数であり、
前記第１の物理チャネルは、物理ダウンリンク制御チャネルであり、前記第１の送信方式は、前記第１の物理チャネル上の前記データ送信の繰り返し数のインデックスであり、
前記第２の物理チャネルは、ブロードキャストまたはマルチキャストデータを有する物理ダウンリンク共有チャネルであり、前記第２の送信方式は、前記第２の物理チャネル上の前記データ送信の繰り返し数であり、
前記物理ダウンリンク制御チャネル上の前記データ送信の前記繰り返し数が（ｎ１＋ｋ１＋１）番目の繰り返しであり、ｋ１が整数であり、ｎ１が正の整数である場合、前記物理ダウンリンク共有チャネル上の前記データ送信の前記繰り返し数が（ｎ１）番目の繰り返しであり、
前記フレーム構造タイプが周波数分割デュプレックス若しくは半周波数分割デュプレックスである場合、および前記ＵＥの前記カテゴリが非ゼロ値である場合、ｋ１は０であり、
前記ＵＥの前記カテゴリが０であり、前記フレーム構造タイプが時分割デュプレックスである場合、ｋ１は−２である、通信デバイス。
【発明の詳細な説明】
【技術分野】
【０００１】
本発明の複数の実施形態は、通信技術、特に、データ送信方法および通信デバイスに関する。
【背景技術】
【０００２】
ロングタームエボリューション（Ｌｏｎｇ  Ｔｅｒｍ  Ｅｖｏｌｕｔｉｏｎ、略してＬＴＥ）ベースの低コストのマシンタイプ通信（Ｍａｃｈｉｎｅ  Ｔｙｐｅ  Ｃｏｍｍｕｎｉｃａｔｉｏｎ、略してＭＴＣ）においては、チャネル品質が比較的低い状態にあるユーザ機器と、基地局との間で正常な通信を実装すべく、ＬＴＥネットワークのカバレッジ領域でカバレッジ拡張が行われる。
【０００３】
既存システムにおいては、ダウンリンクカバレッジの方がアップリンクカバレッジより大きいということにより、アップリンクカバレッジでカバレッジ改善を実行するための方法が使用され、ユーザ機器と基地局との間の正常な通信が実装される。しかしながら、先行技術においては、カバレッジ改善はアップリンクカバレッジ領域とダウンリンクカバレッジ領域との間の差のみを考慮して行われており、カバレッジ拡張の値が正しく決定できていない。
【発明の概要】
【０００４】
本発明の実施形態は、カバレッジ拡張の精度を改善すべく、データ送信方法および通信デバイスを提供する。
【０００５】
第１の態様によると、本発明の一実施形態は、第１の物理チャネルの第１の送信方式を決定する段階であって、上記第１の送信方式は、データ送信が上記第１の物理チャネル上で行われる方式である、決定する段階と、上記第１の送信方式に従い、第２の物理チャネルの第２の送信方式を決定する段階であって、上記第２の送信方式は、データ送信が上記第２の物理チャネル上で行われる方式である、決定する段階と、を備える、データ送信方法を提供する。
【０００６】
第１の可能な実装方式において、第１の物理チャネルの第１の送信方式を上記決定する段階は、上記第１の物理チャネルを取得し、上記第１の物理チャネルに従い、上記第１の送信方式を決定する段階、またはチャネル構成情報を取得し、上記チャネル構成情報に従い、上記第１の送信方式を決定する段階であって、上記チャネル構成情報は、上記第１の物理チャネルの構成情報を含む、決定する段階を含む。
【０００７】
第１の態様または第１の態様の第１の可能な実装方式に関し、第２の可能な実装方式において、上記第１の送信方式は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、上記第２の送信方式に関する情報は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、上記第１の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数であり、上記第２の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数である。
【０００８】
第１の態様から第１の態様の第２の可能な実装方式のいずれかに関し、第３の可能な実装方式において、上記第１の送信方式に従い、第２の物理チャネルの上記第２の送信方式を上記決定する段階は、上記第１の送信方式が（ｎ１＋ｋ１＋１）番目のリソース、（ｎ１＋ｋ１＋１）番目のリソースレベル、（ｎ１＋ｋ１＋１）番目のレベル、（ｎ１＋ｋ１＋１）番目の拡張レベル、（ｎ１＋ｋ１＋１）番目の繰り返しレベル、（ｎ１＋ｋ１＋１）番目の繰り返しの構成、または予め指定されたチャネル上での（ｎ１＋ｋ１＋１）番目の検出レベルであり、ｋ１が整数であり、ｎ１が正の整数である場合、それに応じて、上記第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであることを含む。
【０００９】
第１の態様から第１の態様の第３の可能な実装方式のいずれかに関し、第４の可能な実装方式において、上記第１の物理チャネルは、物理ランダムアクセスチャネル、拡張物理ランダムアクセスチャネル、または物理アップリンク共有チャネルである。
【００１０】
第１の態様の第４の可能な実装方式に関し、第５の可能な実装方式において、第１の送信方式に従い、第２の物理チャネルの第２の送信方式を上記決定する段階は、上記第１の送信方式が非拡張送信モード、デフォルトの送信モード、若しくはフォールバック送信モードである場合、上記第２の送信方式は、非拡張送信モード、デフォルトの送信モード、若しくはフォールバック送信モードであること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であること、または上記第２の物理チャネルが物理ブロードキャストチャネル、同期チャネル、若しくはシステム情報を有する物理ダウンリンクデータチャネルである場合、ｋ１は１であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０である、ことを含む。
【００１１】
第１の態様から第１の態様の第３の可能な実装方式のいずれかに関し、第６の可能な実装方式において、上記第１の送信方式に従い、第２の物理チャネルの第２の送信方式を上記決定する段階は、上記第１の送信方式および第３の情報に従い、上記第２の物理チャネルの上記第２の送信方式を決定する段階を含み、上記第３の情報はフレーム構造タイプ、ユーザ機器ＵＥのクラス、上記ＵＥのカテゴリ、上記ＵＥのタイプ、変調およびコーディングスキーム、パワー設定、拡散要因、パワーブーストマルチプライヤ、試行回数、送信時間間隔バンドルサイズに関する情報、周波数ホッピング状況、性能要件、アンテナ構成、トランスポートブロックサイズ、およびトランスポート層数のうちの１または複数である。
【００１２】
第１の態様の第６の可能な実装方式に関し、第７の可能な実装方式において、上記第１の送信方式および第３の情報に従い、上記第２の物理チャネルの上記第２の送信方式を上記決定する段階は、上記第１の送信方式が非拡張送信モード、デフォルトの送信モード、若しくはフォールバック送信モードであり、上記ＵＥの上記クラス若しくはカテゴリが０である場合、上記第２の送信方式は拡張送信モードであること、または上記第１の送信方式が非拡張送信モード、デフォルトの送信モード、若しくはフォールバック送信モードであり、上記ＵＥの上記クラス若しくはカテゴリが０である場合、上記第２の送信方式は、非拡張送信モード、デフォルトの送信モード、若しくはフォールバック送信モードであること、を含む。
【００１３】
第１の態様の第７の可能な実装方式に関し、第８の可能な実装方式において、上記第１の送信方式に従い、第２の物理チャネルの上記第２の送信方式を上記決定する段階は、上記第２の物理チャネルが物理アップリンク制御チャネルである、および／または上記フレーム構造タイプが周波数分割デュプレックス若しくは半周波数分割デュプレックスである場合、ｋ１は０であること、または上記第２の物理チャネルが物理アップリンク制御チャネルであり、上記フレーム構造タイプが時分割デュプレックスシステムである場合、ｋ１は−１であること、をさらに含む。
【００１４】
第１の態様の第７の可能な実装方式に関し、第９の可能な実装方式において、上記第１の送信方式に従い、第２の物理チャネルの第２の送信方式を上記決定する段階は、上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが周波数分割デュプレックス若しくは半周波数分割デュプレックスであり、および／または上記ＵＥの上記カテゴリが非ゼロ値である場合、ｋ１は０であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが時分割デュプレックスである場合、ｋ１は−１であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０である場合、ｋ１は−１であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが周波数分割デュプレックス若しくは半周波数分割デュプレックスである場合、ｋ１は−１であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが非０値であり、上記フレーム構造タイプが時分割デュプレックスである場合、ｋ１は−１であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが時分割デュプレックスである場合、ｋ１は−２であることを含む。
【００１５】
第１の態様の第７の可能な実装方式に関し、第１０の可能な実装方式において、上記第１の送信方式に従い、第２の物理チャネルの第２の送信方式を上記決定する段階は、上記第２の物理チャネルが物理ブロードキャストチャネル、同期チャネル、若しくはシステム情報を有する物理ダウンリンクデータチャネルであり、上記フレーム構造タイプが周波数分割デュプレックス若しくは半周波数分割デュプレックスである場合、ｋ１は１であること、または上記第２の物理チャネルが物理ブロードキャストチャネル、同期チャネル、若しくはシステム情報を有する物理ダウンリンクデータチャネルであり、上記ＵＥの上記カテゴリが非ゼロ値である場合、ｋ１は１であること、または上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが周波数分割デュプレックス若しくは半周波数分割デュプレックスである場合、ｋ１は１であること、または上記第２の物理チャネルが物理ブロードキャストチャネル、同期チャネル、若しくはシステム情報を有する物理ダウンリンクデータチャネルであり、上記フレーム構造タイプがシステムであり、時分割デュプレックスである場合、ｋ１は０であること、または上記第２の物理チャネルが物理ブロードキャストチャネル、同期チャネル、若しくはシステム情報を有する物理ダウンリンクデータチャネルであり、上記ＵＥの上記カテゴリが０であり、フレーム構造タイプが周波数分割デュプレックス若しくは半周波数分割デュプレックスである場合、ｋ１は０であること、または上記第２の物理チャネルが、物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は０であること、または上記第２の物理チャネルが物理ブロードキャストチャネル、同期チャネル、若しくはシステム情報を有する物理ダウンリンクデータチャネルであり、上記ＵＥの上記カテゴリが非０値であり、上記フレーム構造タイプが時分割デュプレックスである場合、ｋ１は０であること、または上記第２の物理チャネルが物理ブロードキャストチャネル、同期チャネル、若しくはシステム情報を有する物理ダウンリンクデータチャネルであり、上記ＵＥの上記カテゴリが非０値であり、上記フレーム構造タイプが周波数分割デュプレックス若しくは半周波数分割デュプレックスである場合、ｋ１は０であること、または上記第２の物理チャネルが物理ブロードキャストチャネル、同期チャネル、若しくはシステム情報を有する物理ダウンリンクデータチャネルであり、上記ＵＥの上記カテゴリが０であり、ネットワークシステムが時分割デュプレックスである場合、ｋ１は−１であること、または上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は−１であること、または上記第２の物理チャネルが物理ブロードキャストチャネル、同期チャネル、若しくはシステム情報を有する物理ダウンリンクデータチャネルであり、上記ＵＥの上記カテゴリが非０値であり、上記フレーム構造タイプが時分割デュプレックスである場合、ｋ１は−１であること、または上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが時分割デュプレックスである場合、ｋ１は−２であること、を含む。
【００１６】
第１の態様から第１の態様の第２の可能な実装方式のいずれかに関し、第１１の可能な実装方式において、上記第１の送信方式が（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、または予め指定されたチャネル上での（ｎ）番目の検出レベルであり、ｎが正の整数であり、上記第１の送信方式に従い、第２の物理チャネルの第２の送信方式を上記決定する段階は、上記第１の物理チャネルが物理ランダムアクセスチャネル若しくは拡張物理ランダムアクセスチャネルであり、上記第２の物理チャネルが物理アップリンク共有チャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、または上記第１の物理チャネルが物理アップリンク共有チャネルであり、上記第２の物理チャネルが物理ランダムアクセスチャネル若しくは拡張物理ランダムアクセスチャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、を含む。
【００１７】
第２の態様によると、本発明の一実施形態は、送信部と、受信部と、メモリと、上記送信部と、上記受信部と、上記メモリとに別々に接続されたプロセッサと、を備える通信デバイスを提供し、上記プロセッサは、第１の物理チャネルの第１の送信方式を決定するよう、および上記第１の送信方式に従い、第２の物理チャネルの第２の送信方式を決定するよう構成されており、上記第１の送信方式は、データ送信が上記第１の物理チャネル上で行われる方式であり、上記第２の送信方式は、データ送信が上記第２の物理チャネル上で行われる方式である。
【００１８】
第１の可能な実装方式において、上記受信部は、上記第１の物理チャネルを取得し、上記第１の物理チャネルに従い、上記第１の送信方式を決定するよう構成されており、またはチャネル構成情報を取得し、上記チャネル構成情報に従い、上記第１の送信方式を決定するよう構成されており、上記チャネル構成情報は、上記第１の物理チャネルの構成情報を含む。
【００１９】
第２の態様または第２の態様の第１の可能な実装方式に関し、第２の可能な実装方式において、上記第１の送信方式は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、上記第２の送信方式に関する情報は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、上記第１の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数であり、上記第２の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数である。
【００２０】
第２の態様から第２の態様の第２の可能な実装方式のいずれかに関し、第３の可能な実装方式において、上記第１の送信方式が（ｎ１＋ｋ１＋１）番目のリソース、（ｎ１＋ｋ１＋１）番目のリソースレベル、（ｎ１＋ｋ１＋１）番目のレベル、（ｎ１＋ｋ１＋１）番目の拡張レベル、（ｎ１＋ｋ１＋１）番目の繰り返しレベル、（ｎ１＋ｋ１＋１）番目の繰り返しの構成、または予め指定されたチャネル上での（ｎ１＋ｋ１＋１）番目の検出レベルであり、ｋ１が整数であり、ｎ１が正の整数である場合、それに応じて、上記第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００２１】
第２の態様から第２の態様の第３の可能な実装方式のいずれかに関し、第４の可能な実装方式において、上記第１の物理チャネルは、物理ランダムアクセスチャネル、拡張物理ランダムアクセスチャネル、または物理アップリンク共有チャネルである。
【００２２】
第２の態様の第４の可能な実装方式に関し、第５の可能な実装方式において、上記第１の送信方式に従い、第２の物理チャネルの第２の送信方式を上記決定することは、上記第１の送信方式が非拡張送信モード、デフォルトの送信モード、若しくはフォールバック送信モードである場合、上記第２の送信方式は、非拡張送信モード、デフォルトの送信モード、若しくはフォールバック送信モードであること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であること、または上記第２の物理チャネルが物理ブロードキャストチャネル、同期チャネル、若しくはシステム情報を有する物理ダウンリンクデータチャネルである場合、ｋ１は１であること、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０である、ことを含む。
【００２３】
第２の態様から第２の態様の第３の可能な実装方式のいずれかに関し、第６の可能な実装方式において、上記プロセッサは、上記第１の送信方式および第３の情報に従い、上記第２の物理チャネルの上記第２の送信方式を決定するよう特に構成され、上記第３の情報は、フレーム構造タイプ、ユーザ機器ＵＥのクラス、上記ＵＥのカテゴリ、上記ＵＥのタイプ、変調およびコーディングスキーム、パワー設定、拡散要因、パワーブーストマルチプライヤ、試行回数、送信時間間隔バンドルサイズに関する情報、周波数ホッピング状況、性能要件、アンテナ構成、トランスポートブロックサイズ、およびトランスポート層数のうちの１または複数である。
【００２４】
第２の態様の第６の可能な実装方式に関し、第７の可能な実装方式において、上記プロセッサは、上記第１の送信方式が非拡張送信モード、デフォルトの送信モード、若しくはフォールバック送信モードであり、上記ＵＥの上記クラス若しくはカテゴリが０である場合、上記第２の送信方式は拡張送信モードであると決定するよう、または上記第１の送信方式が、非拡張送信モード、デフォルトの送信モード、若しくはフォールバック送信モードであり、上記ＵＥの上記クラス若しくはカテゴリが０である場合、上記第２の送信方式は非拡張送信モード、デフォルトの送信モード、若しくはフォールバック送信モードであると決定するよう、特に構成されている。
【００２５】
第２の態様の第７の可能な実装方式に関し、第８の可能な実装方式において、上記プロセッサは、上記第２の物理チャネルが物理アップリンク制御チャネルである、および／または上記フレーム構造タイプが周波数分割デュプレックス若しくは半周波数分割デュプレックスである場合、ｋ１は０であると決定するよう、または上記第２の物理チャネルが物理アップリンク制御チャネルであり、上記フレーム構造タイプが時分割デュプレックスシステムである場合、ｋ１は−１であると決定するよう、さらに構成されている。
【００２６】
第２の態様の第７の可能な実装方式に関し、第９の可能な実装方式において、上記プロセッサは、上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが周波数分割デュプレックス若しくは半周波数分割デュプレックスであり、および／または上記ＵＥの上記カテゴリが非ゼロ値である場合、ｋ１は０であると決定するよう、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが時分割デュプレックスである場合、ｋ１は−１であると決定するよう、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０である場合、ｋ１は−１であると決定するよう、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが周波数分割デュプレックス若しくは半周波数分割デュプレックスである場合、ｋ１は−１であると決定するよう、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが非０値であり、上記フレーム構造タイプが時分割デュプレックスである場合、ｋ１は−１であると決定するよう、または上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが時分割デュプレックスである場合、ｋ１は−２であると決定するよう特に構成されている。
【００２７】
第２の態様の第７の可能な実装方式に関し、第１０の可能な実装方式において、上記プロセッサは、上記第２の物理チャネルが物理ブロードキャストチャネル、同期チャネル、若しくはシステム情報を有する物理ダウンリンクデータチャネルであり、上記フレーム構造タイプが周波数分割デュプレックス若しくは半周波数分割デュプレックスである場合、ｋ１は１であると決定するよう、または上記第２の物理チャネルが物理ブロードキャストチャネル、同期チャネル、若しくはシステム情報を有する物理ダウンリンクデータチャネルであり、上記ＵＥの上記カテゴリが非ゼロ値である場合、ｋ１は１であると決定するよう、または上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが周波数分割デュプレックス若しくは半周波数分割デュプレックスである場合、ｋ１は１であると決定するよう、または上記第２の物理チャネルが物理ブロードキャストチャネル、同期チャネル、若しくはシステム情報を有する物理ダウンリンクデータチャネルであり、上記フレーム構造タイプがシステムであり、時分割デュプレックスである場合、ｋ１は０であると決定するよう、または上記第２の物理チャネルが物理ブロードキャストチャネル、同期チャネル、若しくはシステム情報を有する物理ダウンリンクデータチャネルであり、上記ＵＥの上記カテゴリが０である場合、ｋ１は０であると決定するよう、または上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は０であると決定するよう、または上記第２の物理チャネルが物理ブロードキャストチャネル、同期チャネル、若しくはシステム情報を有する物理ダウンリンクデータチャネルであり、上記ＵＥの上記カテゴリが非０値であり、上記フレーム構造タイプが時分割デュプレックスである場合、ｋ１は０であると決定するよう、または上記第２の物理チャネルが物理ブロードキャストチャネル、同期チャネル、若しくはシステム情報を有する物理ダウンリンクデータチャネルであり、上記ＵＥの上記カテゴリが非０値であり、上記フレーム構造タイプが周波数分割デュプレックス若しくは半周波数分割デュプレックスである場合、ｋ１は０であると決定するよう、または上記第２の物理チャネルが、物理ブロードキャストチャネル、同期チャネル、若しくはシステム情報を有する物理ダウンリンクデータチャネルであり、上記ＵＥの上記カテゴリが０であり、ネットワークシステムが時分割デュプレックスである場合、ｋ１は−１であると決定するよう、または上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は−１であると決定するよう、または上記第２の物理チャネルが物理ブロードキャストチャネル、同期チャネル、若しくはシステム情報を有する物理ダウンリンクデータチャネルであり、上記ＵＥの上記カテゴリが非０値であり、上記フレーム構造タイプが時分割デュプレックスである場合、ｋ１は−１であると決定するよう、または上記第２の物理チャネルが、物理ブロードキャストチャネル、同期チャネル、若しくはシステム情報を有する物理ダウンリンクデータチャネルであり、上記ＵＥの上記カテゴリが０であり、上記フレーム構造タイプが時分割デュプレックスである場合、ｋ１は−２であると決定するよう、特に構成されている。
【００２８】
第２の態様から第２の態様の第２の可能な実装方式のいずれかに関し、第１１の可能な実装方式において、上記第１の送信方式が（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、または予め指定されたチャネル上での（ｎ）番目の検出レベルであり、ｎが正の整数であり、上記第１の送信方式に従い、第２の物理チャネルの第２の送信方式を上記決定することは、上記第１の物理チャネルが物理ランダムアクセスチャネル若しくは拡張物理ランダムアクセスチャネルであり、上記第２の物理チャネルが物理アップリンク共有チャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、または上記第１の物理チャネルが物理アップリンク共有チャネルであり、上記第２の物理チャネルが物理ランダムアクセスチャネル若しくは拡張物理ランダムアクセスチャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、を含む。
【００２９】
本発明は、データ送信方法および通信デバイスを提供する。第１の物理チャネルの第１の送信方式が決定され、第１の送信方式はデータ送信が第１の物理チャネル上で行われる方式であり、第１の送信方式に従い、第２の物理チャネルの第２の送信方式が決定され、第２の送信方式はデータ送信が第２の物理チャネル上で行われる方式である。第１の物理チャネルとは異なる物理チャネルの送信方式が、第１の物理チャネルの送信方式に従い決定されるように実装され、従って、異なる複数の送信方式が異なる複数のチャネルに適用されるように実装される。
【００３０】
本発明の複数の実施形態または先行技術における技術的な解決手段を記載するための、当該複数の実施形態または先行技術の記載に必要な添付図面について以下に簡潔に記載する。以下の詳細な説明における添付図面は、本発明のいくつかの実施形態を示しており、当業者であれば、これらの添付図面から、創造的な取り組みをせずとも、他の図面をさらに導き出すことができることは自明である。
【図面の簡単な説明】
【００３１】
【図１】本発明の一実施形態によるデータ送信方法のフローチャートである。
【００３２】
【図２】本発明の一実施形態による通信デバイスの概略構造図である。
【発明を実施するための形態】
【００３３】
本発明の複数の実施形態に係る目的、技術的な解決手段、および利点をより明確にするために、以下では、本発明の複数の実施形態における技術的な解決手段を、本発明の複数の実施形態における添付図面を参照しつつ、明確かつ完全に記載する。記載された実施形態は本発明の複数の実施形態のうち一部であり、すべてではないことは明らかである。当業者が創造的な取り組みなしに本発明の複数の実施形態に基づき、得られるすべての他の実施形態は、本発明の保護範囲に属することとなる。
【００３４】
本発明の複数の実施形態は、基地局またはＵＥが、第１のチャネルの送信方式に従い、第２のチャネルの送信方式を決定することに適用可能であり、ここにおいて、第１のチャネルおよび第２のチャネルは異なるチャネルであり、第１のチャネルおよび第２のチャネルは異なるアップリンクチャネル若しくは異なるダウンリンクチャネルであってよく、または第１のチャネルおよび第２のチャネルはそれぞれアップリンクチャネルおよびダウンリンクチャネルであってよい。
【００３５】
図１は、本発明の一実施形態によるデータ送信方法のフローチャートである。図１に示される通り、この実施形態は、ユーザ機器ＵＥまたは基地局によって実行される。この実施形態における方法は、以下を含む。
【００３６】
段階１０１。第１の物理チャネルの第１の送信方式を決定する。第１の送信方式は、データ送信が第１の物理チャネル上で行われる方式である。
【００３７】
第１の物理チャネルの第１の送信方式を決定することについて、少なくとも次の２つの実装方式がある。
【００３８】
第１の実装方式において、第１の物理チャネルが取得され、第１の送信方式は第１の物理チャネルに従い、決定される。
【００３９】
第２の実装方式において、チャネル構成情報が取得され、第１の送信方式はチャネル構成情報に従い、決定され、チャネル構成情報は第１の物理チャネルの構成情報を含む。
【００４０】
例えば、この実施形態における第１の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、物理アップリンク共有チャネル、物理アップリンク制御チャネル、同期チャネル、および物理ブロードキャストチャネルのうちの１または複数であってよい。
【００４１】
この実施形態における第１の送信方式は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であってよい。
【００４２】
段階１０２。第１の送信方式に従い、第２の物理チャネルの第２の送信方式を決定する。第２の送信方式は、データ送信が第２の物理チャネル上で行われる方式である。
【００４３】
この実施形態における第２の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、物理アップリンク共有チャネル、物理アップリンク制御チャネル、同期チャネル、および物理ブロードキャストチャネルのうちの１または複数であってよい。
【００４４】
本実施形態における第２の送信方式に関する情報は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であってよい。
【００４５】
この実施形態において、第１の物理チャネルおよび第２の物理チャネルは、それぞれアップリンクチャネルおよびダウンリンクチャネルであってよく、または異なるアップリンクチャネルであってよく、または異なるダウンリンクチャネルであってよいことに留意すべきである。
【００４６】
例えば、第１の物理チャネルが物理ランダムアクセスチャネル、拡張物理ランダムアクセスチャネル、若しくは物理アップリンク共有チャネルであり、第１の送信方式が非拡張送信モード、デフォルトの送信モード、若しくはフォールバック送信モードである場合、第２の送信方式は、非拡張送信モード、デフォルトの送信モード、若しくはフォールバック送信モードである。または例えば、第１の物理チャネルが物理ランダムアクセスチャネル、拡張物理ランダムアクセスチャネル、若しくは物理アップリンク共有チャネルであり、第１の送信方式が（ｎ１＋ｋ１＋１）番目のリソース、（ｎ１＋ｋ１＋１）番目のリソースレベル、（ｎ１＋ｋ１＋１）番目のレベル、（ｎ１＋ｋ１＋１）番目の拡張レベル、（ｎ１＋ｋ１＋１）番目の繰り返しレベル、（ｎ１＋ｋ１＋１）番目の繰り返しの構成、若しくは予め指定されたチャネル上での（ｎ１＋ｋ１＋１）番目の検出レベルであり、ｋ１が整数であり、ｎ１が正の整数であり、第２の物理チャネルが上述のチャネルのうちのいずれかである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、若しくは予め指定されたチャネル上での（ｎ１）番目の検出レベルである。
【００４７】
さらに、第２の物理チャネルが物理アップリンク制御チャネルである場合、ｋ１は０である。具体的には、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理アップリンク制御チャネルであり、および／またはフレーム構造タイプが周波数分割デュプレックス若しくは半周波数分割デュプレックスである場合、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００４８】
第２の物理チャネルが、物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０である。具体的には、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００４９】
第２の物理チャネルが物理ブロードキャストチャネル、同期チャネル、またはシステム情報を有する物理ダウンリンクデータチャネルである場合、ｋ１は１である。具体的には、第１の物理チャネルが物理ランダムアクセスチャネル、拡張物理ランダムアクセスチャネル、または物理アップリンク共有チャネルであり、第１の送信方式が（ｎ１＋２）番目のリソース、（ｎ１＋２）番目のリソースレベル、（ｎ１＋２）番目のレベル、（ｎ１＋２）番目の拡張レベル、（ｎ１＋２）番目の繰り返しレベル、（ｎ１＋２）番目の繰り返しの構成、または予め指定されたチャネル上での（ｎ１＋２）番目の検出レベルであり、ｎ１が正の整数であり、第２の物理チャネルが物理ブロードキャストチャネル、同期チャネル、またはシステム情報を有する物理ダウンリンクデータチャネルである場合、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００５０】
例えば、第１の物理チャネルが物理ランダムアクセスチャネル若しくは拡張物理ランダムアクセスチャネルであり、第２の物理チャネルが物理アップリンク共有チャネルであり、第１の送信方式が（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであり、ｎが正の整数である場合、第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルである。または例えば、第１の物理チャネルが物理アップリンク共有チャネルであり、第２の物理チャネルが物理ランダムアクセスチャネル若しくは拡張物理ランダムアクセスチャネルであり、第１の送信方式が（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであり、ｎが正の整数である場合、第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルである。または、
【００５１】
本実施形態において、第１の物理チャネルの第１の送信方式が決定され、ここにおいて第１の送信方式は、データ送信が第１の物理チャネル上で行われる方式であり、第２の物理チャネルの第２の送信方式は第１の送信方式に従い決定され、ここにおいて第２の送信方式は、データ送信が第２の物理チャネル上で行われる方式である。第１の物理チャネルとは異なる物理チャネルの送信方式が、第１の物理チャネルの送信方式に従い決定されるように実装され、従って、異なる複数の送信方式が異なる複数のチャネルに適用されるように実装される。
【００５２】
上記の実施形態に基づくと、段階１０２における第１の送信方式に従い、第２の物理チャネルの第２の送信方式を決定することは、第１の送信方式および第３の情報に従い、第２の物理チャネルの第２の送信方式を決定することを含む。
【００５３】
本実施形態において、第３の情報は、フレーム構造タイプ、ユーザ機器ＵＥのクラス、ＵＥのカテゴリ、ＵＥのタイプ、変調およびコーディングスキーム、パワー設定、拡散要因、パワーブーストマルチプライヤ、試行回数、送信時間間隔バンドルサイズに関する情報、周波数ホッピング状況、性能要件、アンテナ構成、トランスポートブロックサイズ、およびトランスポート層数のうちの１または複数である。
【００５４】
例えば、第１の物理チャネルが物理ランダムアクセスチャネル、拡張物理ランダムアクセスチャネル、若しくは物理アップリンク共有チャネルであり、第１の送信方式が非拡張送信モード、デフォルトの送信モード、若しくはフォールバック送信モードであり、ＵＥのクラスまたはカテゴリが０である場合、第２の送信方式は、拡張送信モードである。または例えば、第１の物理チャネルが物理ランダムアクセスチャネル、拡張物理ランダムアクセスチャネル、若しくは物理アップリンク共有チャネルであり、第１の送信方式が非拡張送信モード、デフォルトの送信モード、若しくはフォールバック送信モードであり、ＵＥのクラス若しくはカテゴリが０である場合、第２の送信方式は非拡張送信モード、デフォルトの送信モード、若しくはフォールバック送信モードである。
【００５５】
第２の物理チャネルが物理アップリンク制御チャネルであり、および／またはフレーム構造タイプが周波数分割デュプレックス若しくは半周波数分割デュプレックスである場合、ｋ１は０である。具体的には、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理アップリンク制御チャネルであり、および／またはフレーム構造タイプが周波数分割デュプレックス若しくは半周波数分割デュプレックスである場合、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００５６】
あるいは、第２の物理チャネルが物理アップリンク制御チャネルであり、フレーム構造タイプが時分割デュプレックスシステムである場合、ｋ１は−１である。具体的には、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｎ１が正の整数であり、第２の物理チャネルが物理アップリンク制御チャネルであり、および／またはフレーム構造タイプが時分割デュプレックスである場合、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００５７】
第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、フレーム構造タイプが周波数分割デュプレックス若しくは半周波数分割デュプレックス、および／またはＵＥのカテゴリが非ゼロ値である場合、ｋ１は０である。具体的には、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、構造タイプが周波数分割デュプレックス若しくは半周波数分割デュプレックスであり、および／またはＵＥのカテゴリが非ゼロ値である場合、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００５８】
第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、フレーム構造タイプが時分割デュプレックスである場合、ｋ１は−１である。例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｋ１が整数であり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、フレーム構造タイプが時分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００５９】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｋ１が整数であり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６０】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｋ１が整数であり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６１】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｋ１が整数であり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが非ゼロ値である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６２】
例えば、第１の物理チャネルが物理ランダムアクセスチャネル、拡張物理ランダムアクセスチャネル、または物理アップリンク共有チャネルであり、第１の送信方式が（ｎ１−１）番目のリソース、（ｎ１−１）番目のリソースレベル、（ｎ１−１）番目のレベル、（ｎ１−１）番目の拡張レベル、（ｎ１−１）番目の繰り返しレベル、（ｎ１−１）番目の繰り返しの構成、または予め指定されたチャネル上での（ｎ１−１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０であり、フレーム構造タイプが時分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６３】
例えば、第１の物理チャネルが物理ランダムアクセスチャネル、拡張物理ランダムアクセスチャネル、または物理アップリンク共有チャネルであり、第１の送信方式が（ｎ１＋２）番目のリソース、（ｎ１＋２）番目のリソースレベル、（ｎ１＋２）番目のレベル、（ｎ１＋２）番目の拡張レベル、（ｎ１＋２）番目の繰り返しレベル、（ｎ１＋２）番目の繰り返しの構成、または予め指定されたチャネル上での（ｎ１＋２）番目の検出レベルであり、ｎ１が正の整数であり、第２の物理チャネルが物理ブロードキャストチャネル、同期チャネル、またはシステム情報を有する物理ダウンリンクデータチャネルであり、フレーム構造タイプが周波数分割デュプレックス若しくは半周波数分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６４】
例えば、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ブロードキャストチャネル、同期チャネル、またはシステム情報を有する物理ダウンリンクデータチャネルであり、フレーム構造タイプが時分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６５】
例えば、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ブロードキャストチャネル、同期チャネル、またはシステム情報を有する物理ダウンリンクデータチャネルであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６６】
例えば、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ブロードキャストチャネル、同期チャネル、またはシステム情報を有する物理ダウンリンクデータチャネルであり、フレーム構造タイプが周波数分割デュプレックス若しくは半周波数分割デュプレックスであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６７】
例えば、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ブロードキャストチャネル、同期チャネル、またはシステム情報を有する物理ダウンリンクデータチャネルであり、フレーム構造タイプが時分割デュプレックスであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６８】
例えば、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ブロードキャストチャネル、同期チャネル、またはシステム情報を有する物理ダウンリンクデータチャネルであり、フレーム構造タイプが時分割デュプレックスであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００６９】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、フレーム構造タイプが時分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００７０】
例えば、第１の物理チャネルが物理ランダムアクセスチャネル、拡張物理ランダムアクセスチャネル、または物理アップリンク共有チャネルであり、第１の送信方式が（ｎ１＋１）番目のリソース、（ｎ１＋１）番目のリソースレベル、（ｎ１＋１）番目のレベル、（ｎ１＋１）番目の拡張レベル、（ｎ１＋１）番目の繰り返しレベル、（ｎ１＋１）番目の繰り返しの構成、または予め指定されたチャネル上での（ｎ１＋１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００７１】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００７２】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｎ１が正の整数であり、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０であり、フレーム構造タイプが周波数分割デュプレックス若しくは半周波数分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００７３】
例えば、第１の物理チャネルが物理ランダムアクセスチャネル、拡張物理ランダムアクセスチャネル、または物理アップリンク共有チャネルであり、第１の送信方式が（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルであり、ｎ１が正の整数であり、第２の物理チャネルが物理ブロードキャストチャネル、同期チャネル、またはシステム情報を有する物理ダウンリンクデータチャネルであり、ＵＥのカテゴリが非ゼロ値であり、フレーム構造タイプが時分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００７４】
例えば、第１の物理チャネルが物理ランダムアクセスチャネル、拡張物理ランダムアクセスチャネル、または物理アップリンク共有チャネルであり、第１の送信方式が（ｎ１−１）番目のリソース、（ｎ１−１）番目のリソースレベル、（ｎ１−１）番目のレベル、（ｎ１−１）番目の拡張レベル、（ｎ１−１）番目の繰り返しレベル、（ｎ１−１）番目の繰り返しの構成、または予め指定されたチャネル上での（ｎ１−１）番目の検出レベルであり、ｎ１が正の整数であり、第２の物理チャネルが物理ブロードキャストチャネル、同期チャネル、またはシステム情報を有する物理ダウンリンクデータチャネルであり、ＵＥのカテゴリが０であり、フレーム構造タイプが時分割デュプレックスである場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００７５】
図２は、本発明の一実施形態による通信デバイスの概略構造図である。図２に示される通り、通信デバイスは、送信部２０１、受信部２０２、メモリ２０３、および送信部２０１と、受信部２０２と、メモリ２０３とに別々に接続されるプロセッサ２０４を含む。
【００７６】
プロセッサ２０４は、第１の物理チャネルの第１の送信方式を決定するよう構成されており、ここにおいて第１の送信方式はデータ送信が第１の物理チャネル上で行われる方式である。プロセッサ２０４は、第１の送信方式に従い、第２の物理チャネルの第２の送信方式を決定するよう構成されており、ここにおいて、第２の送信方式はデータ送信が第２の物理チャネル上で行われる方式である。
【００７７】
本実施形態において、第１の物理チャネルの第１の送信方式が決定され、ここにおいて第１の送信方式は、データ送信が第１の物理チャネル上で行われる方式であり、第２の物理チャネルの第２の送信方式は第１の送信方式に従い決定され、ここにおいて第２の送信方式は、データ送信が第２の物理チャネル上で行われる方式である。第１の物理チャネルとは異なる物理チャネルの送信方式が、第１の物理チャネルの送信方式に従い決定されるように実装され、従って、異なる複数の送信方式が異なる複数のチャネルに適用されるように実装される。
【００７８】
上記の実施形態に基づくと、受信部２０２は、第１の物理チャネルを取得し、第１の物理チャネルに従い、第１の送信方式を決定するよう構成されている。または受信部２０２はチャネル構成情報を取得し、チャネル構成情報に従い、第１の送信方式を決定するよう構成されており、ここにおいてチャネル構成情報は、第１の物理チャネルの構成情報を含む。
【００７９】
上記の実施形態に基づくと、第１の送信方式は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、第２の送信方式に関する情報は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、上記第１の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数であり、第２の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、物理アップリンク共有チャネル、物理アップリンク制御チャネル、同期チャネル、および物理ブロードキャストチャネルのうちの１または複数である。
【００８０】
上記の実施形態に基づくと、第１の送信方式が（ｎ１＋ｋ１＋１）番目のリソース、（ｎ１＋ｋ１＋１）番目のリソースレベル、（ｎ１＋ｋ１＋１）番目のレベル、（ｎ１＋ｋ１＋１）番目の拡張レベル、（ｎ１＋ｋ１＋１）番目の繰り返しレベル、（ｎ１＋ｋ１＋１）番目の繰り返しの構成、または予め指定されたチャネル上での（ｎ１＋ｋ１＋１）番目の検出レベルであり、ｋ１が整数であり、ｎ１が正の整数である場合、それに応じて、第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである。
【００８１】
上記の実施形態に基づくと、第１の物理チャネルは、物理ランダムアクセスチャネル、拡張物理ランダムアクセスチャネル、または物理アップリンク共有チャネルである。
【００８２】
上記の実施形態に基づくと、第１の送信方式に従い、第２の物理チャネルの第２の送信方式を決定する段階は、第１の送信方式が非拡張送信モード、デフォルトの送信モード、若しくはフォールバック送信モードである場合、上記第２の送信方式は、非拡張送信モード、デフォルトの送信モード、若しくはフォールバック送信モードであること、または第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であること、または第２の物理チャネルが物理ブロードキャストチャネル、同期チャネル、若しくはシステム情報を有する物理ダウンリンクデータチャネルである場合、ｋ１は１であること、または第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０である、ことを含む。
【００８３】
上記の実施形態に基づくと、プロセッサ２０４は、第１の送信方式および第３の情報に従い、第２の物理チャネルの第２の送信方式を決定するよう特に構成されており、ここにおいて、第３の情報は、フレーム構造タイプ、ユーザ機器ＵＥのクラス、ＵＥのカテゴリ、ＵＥのタイプ、変調およびコーディングスキーム、パワー設定、拡散要因、パワーブーストマルチプライヤ、試行回数、送信時間間隔バンドルサイズに関する情報、周波数ホッピング状況、性能要件、アンテナ構成、トランスポートブロックサイズ、およびトランスポート層数のうちの１または複数である。
【００８４】
上記の実施形態に基づくと、プロセッサ２０４は、第１の送信方式が非拡張送信モード、デフォルトの送信モード、若しくはフォールバック送信モードであり、ＵＥのクラス若しくはカテゴリが０である場合、第２の送信方式は拡張送信モードであると決定するよう特に構成されている。またはプロセッサ２０４は、第１の送信方式が、非拡張送信モード、デフォルトの送信モード、若しくはフォールバック送信モードであり、ＵＥのクラス若しくはカテゴリが０である場合、第２の送信方式は非拡張送信モード、デフォルトの送信モード、若しくはフォールバック送信モードであると決定するよう特に構成されている。
【００８５】
上記の実施形態に基づくと、プロセッサ２０４は、第２の物理チャネルが物理アップリンク制御チャネルであり、および／またはフレーム構造タイプが周波数分割デュプレックス若しくは半周波数分割デュプレックスである場合、ｋ１は０であると決定するようさらに構成されている。またはプロセッサ２０４は、第２の物理チャネルが物理アップリンク制御チャネルであり、フレーム構造タイプが時分割デュプレックスシステムである場合、ｋ１は−１であると決定するようさらに構成されている。
【００８６】
上記の実施形態に基づくと、プロセッサ２０４は、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、フレーム構造タイプが周波数分割デュプレックス若しくは半周波数分割デュプレックスであり、および／またはＵＥのカテゴリが非ゼロ値である場合、ｋ１は０であると決定するよう特に構成されている。またはプロセッサ２０４は、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、フレーム構造タイプが時分割デュプレックスである場合、ｋ１は−１であると決定するよう特に構成されている。またはプロセッサ２０４は、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０である場合、ｋ１は−１であると決定するよう特に構成されている。またはプロセッサ２０４は、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０であり、フレーム構造タイプが周波数分割デュプレックス若しくは半周波数分割デュプレックスである場合、ｋ１は−１であると決定するよう特に構成されている。またはプロセッサ２０４は、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが非０値であり、フレーム構造タイプが時分割デュプレックスである場合、ｋ１は−１であると決定するよう特に構成されている。またはプロセッサ２０４は、第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、ＵＥのカテゴリが０であり、フレーム構造タイプが時分割デュプレックスである場合、ｋ１は−２であると決定するよう特に構成されている。
【００８７】
上記の実施形態に基づくと、プロセッサ２０４は、第２の物理チャネルが物理ブロードキャストチャネル、同期チャネル、またはシステム情報を有する物理ダウンリンクデータチャネルであり、フレーム構造タイプが周波数分割デュプレックス若しくは半周波数分割デュプレックスである場合、ｋ１は１であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが非ゼロ値である場合、ｋ１は１であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが非ゼロ値であり、フレーム構造タイプが周波数分割デュプレックス若しくは半周波数分割デュプレックスである場合、ｋ１は１であると決定するよう特に構成されている。またはプロセッサ２０４は、上記第２の物理チャネルが物理ブロードキャストチャネル、同期チャネル、またはシステム情報を有する物理ダウンリンクデータチャネルであり、フレーム構造タイプがシステムであり、時分割デュプレックスである場合、ｋ１は０であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが０である場合、ｋ１は０であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが０であり、フレーム構造タイプが周波数分割デュプレックス若しくは半周波数分割デュプレックスである場合、ｋ１は０であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが非０値であり、フレーム構造タイプが時分割デュプレックスである場合、ｋ１は０であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが非０値であり、フレーム構造タイプが周波数分割デュプレックス若しくは半周波数分割デュプレックスである場合、ｋ１は０であると決定するよう特に構成されている。またはプロセッサ２０４は、第２の物理チャネルが、物理ブロードキャストチャネル、同期チャネル、またはシステム情報を有する物理ダウンリンクデータチャネルであり、ＵＥのカテゴリが０であり、ネットワークシステムが時分割デュプレックスである場合、ｋ１は−１であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが０であり、フレーム構造タイプが周波数分割デュプレックス若しくは半周波数分割デュプレックスである場合、ｋ１は−１であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが非０値であり、フレーム構造タイプが時分割デュプレックスである場合、ｋ１は−１であると決定するよう特に構成されている。またはプロセッサ２０４は、第２の物理チャネルが物理ブロードキャストチャネル、同期チャネル、またはシステム情報を有する物理ダウンリンクデータチャネルであり、ＵＥのカテゴリが０であり、フレーム構造タイプが時分割デュプレックスである場合、ｋ１は−２であると決定するよう特に構成されている。
【００８８】
上記の実施形態に基づくと、第１の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、または予め指定されたチャネル上での（ｎ）番目の検出レベルであり、ここにおいてｎは正の整数である。
【００８９】
第１の送信方式に従い、第２の物理チャネルの第２の送信方式を決定することは、第１の物理チャネルが物理ランダムアクセスチャネル若しくは拡張物理ランダムアクセスチャネルであり、第２の物理チャネルが物理アップリンク共有チャネルである場合、第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、または第１の物理チャネルが物理アップリンク共有チャネルであり、第２の物理チャネルが物理ランダムアクセスチャネル若しくは拡張物理ランダムアクセスチャネルである場合、第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、を含む。
【００９０】
当業者であれば、当該複数の方法の実施形態に係るすべてまたはいくつかの段階は、関連するハードウェアに命令するプログラムによって実装可能であることを理解できる。プログラムは、コンピュータ可読記憶媒体内に格納されてよい。プログラムの実行時、方法の実施形態に係る段階が実行される。上述の記憶媒体は、ＲＯＭ、ＲＡＭ、磁気ディスク、または光ディスクのような、プログラムコードを格納可能な任意の媒体を含む。
【００９１】
最後に、上述の実施形態は、本発明の限定ではなく、本発明の技術的な解決手段の説明を専ら意図している点に留意すべきである。本発明は、上述の実施形態に関し詳細に記載されているが、当業者は、本発明の実施形態の技術的な解決手段の範囲から逸脱することなく、上述の実施形態中に記載された技術的な解決手段に対し修正を加え得ること、またはそれらのいくつかのまたはすべての技術的特徴に対し均等な置き換えをなし得ることを理解すべきである。
（項目１）
第１の物理チャネルの第１の送信方式を決定する段階であって、上記第１の送信方式は、データ送信が上記第１の物理チャネル上で行われる方式である、決定する段階と、
上記第１の送信方式に従い、第２の物理チャネルの第２の送信方式を決定する段階であって、上記第２の送信方式は、データ送信が上記第２の物理チャネル上で行われる方式である、決定する段階と、を備える、データ送信方法。
（項目２）
第１の物理チャネルの第１の送信方式を決定する上記段階は、
上記第１の物理チャネルを取得し、上記第１の物理チャネルに従い、上記第１の送信方式を決定する段階、または
チャネル構成情報を取得し、上記チャネル構成情報に従い、上記第１の送信方式を決定する段階であって、上記チャネル構成情報は、上記第１の物理チャネルの構成情報を含む、決定する段階を含む、項目１に記載の方法。
（項目３）
上記第１の送信方式は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、
上記第２の送信方式に関する情報は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、
上記第１の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数であり、
上記第２の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数である、項目１または２に記載の方法。
（項目４）
上記第１の送信方式に従い、第２の物理チャネルの上記第２の送信方式を決定する上記段階は、
上記第１の送信方式が（ｎ１＋ｋ１＋１）番目のリソース、（ｎ１＋ｋ１＋１）番目のリソースレベル、（ｎ１＋ｋ１＋１）番目のレベル、（ｎ１＋ｋ１＋１）番目の拡張レベル、（ｎ１＋ｋ１＋１）番目の繰り返しレベル、（ｎ１＋ｋ１＋１）番目の繰り返しの構成、または予め指定されたチャネル上での（ｎ１＋ｋ１＋１）番目の検出レベルであり、ｋ１が整数であり、ｎ１が正の整数である場合、それに応じて、上記第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである、項目１から３のいずれか一項に記載の方法。
（項目５）
上記第１の物理チャネルは、物理ランダムアクセスチャネル、拡張物理ランダムアクセスチャネル、または物理アップリンク共有チャネルである、項目１から４のいずれか一項に記載の方法。
（項目６）
上記第１の送信方式に従い、第２の物理チャネルの第２の送信方式を決定する上記段階は、
上記第１の送信方式が非拡張送信モード、デフォルトの送信モード、若しくはフォールバック送信モードである場合、上記第２の送信方式は、非拡張送信モード、デフォルトの送信モード、若しくはフォールバック送信モードであること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であること、または
上記第２の物理チャネルが物理ブロードキャストチャネル、同期チャネル、若しくはシステム情報を有する物理ダウンリンクデータチャネルである場合、ｋ１は１であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であることを含む、項目５に記載の方法。
（項目７）
上記第１の送信方式に従い、第２の物理チャネルの第２の送信方式を決定する上記段階は、
上記第１の送信方式および第３の情報に従い、上記第２の物理チャネルの上記第２の送信方式を決定する段階を含み、上記第３の情報はフレーム構造タイプ、ユーザ機器ＵＥのクラス、上記ＵＥのカテゴリ、上記ＵＥのタイプ、変調およびコーディングスキーム、パワー設定、拡散要因、パワーブーストマルチプライヤ、試行回数、送信時間間隔バンドルサイズに関する情報、周波数ホッピング状況、性能要件、アンテナ構成、トランスポートブロックサイズ、およびトランスポート層数のうちの１または複数である、項目１から４のいずれか一項に記載の方法。
（項目８）
上記第１の送信方式および第３の情報に従い、上記第２の物理チャネルの上記第２の送信方式を決定する上記段階は、
上記第１の送信方式が非拡張送信モード、デフォルトの送信モード、若しくはフォールバック送信モードであり、上記ＵＥの上記クラス若しくはカテゴリが０である場合、上記第２の送信方式は拡張送信モードであること、または
上記第１の送信方式が非拡張送信モード、デフォルトの送信モード、若しくはフォールバック送信モードであり、上記ＵＥの上記クラス若しくはカテゴリが０である場合、上記第２の送信方式は、非拡張送信モード、デフォルトの送信モード、若しくはフォールバック送信モードであることを含む、項目７に記載の方法。
（項目９）
上記第１の送信方式に従い、第２の物理チャネルの第２の送信方式を決定する上記段階は、
上記第２の物理チャネルが物理アップリンク制御チャネルである、および／若しくは上記フレーム構造タイプが周波数分割デュプレックス若しくは半周波数分割デュプレックスである場合、ｋ１は０であること、または
上記第２の物理チャネルが物理アップリンク制御チャネルであり、上記フレーム構造タイプが時分割デュプレックスシステムである場合、ｋ１は−１であること、をさらに含む、項目８に記載の方法。
（項目１０）
上記第１の送信方式に従い、第２の物理チャネルの第２の送信方式を決定する上記段階は、
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが周波数分割デュプレックス若しくは半周波数分割デュプレックスであり、および／または上記ＵＥの上記カテゴリが非ゼロ値である場合、ｋ１は０であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが時分割デュプレックスである場合、ｋ１は−１であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０である場合、ｋ１は−１であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが周波数分割デュプレックス若しくは半周波数分割デュプレックスである場合、ｋ１は−１であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが非ゼロ値であり、上記フレーム構造タイプが時分割デュプレックスである場合、ｋ１は−１であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが時分割デュプレックスである場合、ｋ１は−２であることを含む、項目８に記載の方法。
（項目１１）
上記第１の送信方式に従い、第２の物理チャネルの第２の送信方式を上記決定する段階は、
上記第２の物理チャネルが物理ブロードキャストチャネル、同期チャネル、若しくはシステム情報を有する物理ダウンリンクデータチャネルであり、上記フレーム構造タイプが、周波数分割デュプレックス若しくは半周波数分割デュプレックスである場合、ｋ１は１であること、または
上記第２の物理チャネルが物理ブロードキャストチャネル、同期チャネル、若しくはシステム情報を有する物理ダウンリンクデータチャネルであり、上記ＵＥの上記カテゴリが非ゼロ値である場合、ｋ１は１であること、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが周波数分割デュプレックス若しくは半周波数分割デュプレックスである場合、ｋ１は１であること、または
上記第２の物理チャネルが物理ブロードキャストチャネル、同期チャネル、若しくはシステム情報を有する物理ダウンリンクデータチャネルであり、上記フレーム構造タイプがシステムであり、時分割デュプレックスである場合、ｋ１は０であること、または
上記第２の物理チャネルが物理ブロードキャストチャネル、同期チャネル、若しくはシステム情報を有する物理ダウンリンクデータチャネルであり、上記ＵＥの上記カテゴリが０である場合、ｋ１は０であること、または
上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は０であること、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが時分割デュプレックスである場合、ｋ１は０であること、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが周波数分割デュプレックス若しくは半周波数分割デュプレックスである場合、ｋ１は０であること、または
上記第２の物理チャネルが物理ブロードキャストチャネル、同期チャネル、若しくはシステム情報を有する物理ダウンリンクデータチャネルであり、上記ＵＥの上記カテゴリが０であり、ネットワークシステムが時分割デュプレックスである場合、ｋ１は−１であること、または
上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は−１であること、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが時分割デュプレックスである場合、ｋ１は−１であること、または
上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが時分割デュプレックスである場合、ｋ１は−２であること、を含む、項目８に記載の方法。
（項目１２）
上記第１の送信方式が（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、または予め指定されたチャネル上での（ｎ）番目の検出レベルであり、ｎが正の整数であり、
上記第１の送信方式に従い、第２の物理チャネルの第２の送信方式を決定する上記段階は、
上記第１の物理チャネルが上記第１の物理チャネルが物理ランダムアクセスチャネル若しくは拡張物理ランダムアクセスチャネルであり、上記第２の物理チャネルが物理アップリンク共有チャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、または
上記第１の物理チャネルが物理アップリンク共有チャネルであり、上記第２の物理チャネルが物理ランダムアクセスチャネル若しくは拡張物理ランダムアクセスチャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、を含む、項目１から３のいずれか一項に記載の方法。
（項目１３）
送信部と、
受信部と、
メモリと、
上記送信部と、上記受信部と、上記メモリとに別々に接続されたプロセッサと、を備える通信デバイスであって、
上記プロセッサは、第１の物理チャネルの第１の送信方式を決定するよう、および上記第１の送信方式に従い、第２の物理チャネルの第２の送信方式を決定するよう構成されており、
上記第１の送信方式は、データ送信が上記第１の物理チャネル上で行われる方式であり、
上記第２の送信方式は、データ送信が上記第２の物理チャネル上で行われる方式である、通信デバイス。
（項目１４）
上記受信部は、
上記第１の物理チャネルを取得し、上記第１の物理チャネルに従い、上記第１の送信方式を決定するよう構成されており、または
チャネル構成情報を取得し、上記チャネル構成情報に従い、上記第１の送信方式を決定するよう構成されており、上記チャネル構成情報は、上記第１の物理チャネルの構成情報を含む、項目１３に記載の通信デバイス。
（項目１５）
上記第１の送信方式は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、
上記第２の送信方式に関する情報は、拡張送信モード、非拡張送信モード、デフォルトの送信モード、フォールバック送信モード、リソース、リソースインデックス、レベル、レベルインデックス、拡張レベル、拡張レベルインデックス、繰り返しレベル、繰り返しレベルインデックス、レベル数、繰り返し数、繰り返し数のインデックス、繰り返しの値、カバレッジ拡張の値、カバレッジ拡張レンジインデックス、予め指定されたチャネル上での検出数、予め指定されたチャネル上での検出レベル、および予め指定されたチャネル上での検出数のインデックスのうちの１または複数であり、
上記第１の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数であり、
上記第２の物理チャネルは、物理アップリンク共有チャネル、物理ランダムアクセスチャネル、拡張物理ランダムアクセスチャネル、物理ダウンリンク制御チャネル、拡張物理ダウンリンク制御チャネル、物理制御フォーマットインジケータチャネル、物理ハイブリッド自動リピート要求インジケータチャネル、ユニキャストデータを有する物理ダウンリンク共有チャネル、ブロードキャストまたはマルチキャストデータを有する物理ダウンリンク共有チャネル、ランダムアクセス応答メッセージを有する物理ダウンリンク共有チャネル、上記物理アップリンク共有チャネル、物理アップリンク制御チャネル、同期チャネル、および物理ブロードキャストチャネルのうちの１または複数である、項目１３または１４に記載の通信デバイス。
（項目１６）
上記第１の送信方式が（ｎ１＋ｋ１＋１）番目のリソース、（ｎ１＋ｋ１＋１）番目のリソースレベル、（ｎ１＋ｋ１＋１）番目のレベル、（ｎ１＋ｋ１＋１）番目の拡張レベル、（ｎ１＋ｋ１＋１）番目の繰り返しレベル、（ｎ１＋ｋ１＋１）番目の繰り返しの構成、または予め指定されたチャネル上での（ｎ１＋ｋ１＋１）番目の検出レベルであり、ｋ１が整数であり、ｎ１が正の整数である場合、それに応じて、上記第２の送信方式は、（ｎ１）番目のリソース、（ｎ１）番目のリソースレベル、（ｎ１）番目のレベル、（ｎ１）番目の拡張レベル、（ｎ１）番目の繰り返しレベル、（ｎ１）番目の繰り返しの構成、または予め指定されたチャネル上での（ｎ１）番目の検出レベルである、項目１３から１５のいずれか一項に記載の通信デバイス。
（項目１７）
上記第１の物理チャネルは、物理ランダムアクセスチャネル、拡張物理ランダムアクセスチャネル、または物理アップリンク共有チャネルである、項目１３から１６のいずれか一項に記載の通信デバイス。
（項目１８）
上記第１の送信方式に従い、第２の物理チャネルの第２の送信方式を上記決定することは、
上記第１の送信方式が非拡張送信モード、デフォルトの送信モード、若しくはフォールバック送信モードである場合、上記第２の送信方式は、非拡張送信モード、デフォルトの送信モード、若しくはフォールバック送信モードであること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であること、または
上記第２の物理チャネルが物理ブロードキャストチャネル、同期チャネル、若しくはシステム情報を有する物理ダウンリンクデータチャネルである場合、ｋ１は１であること、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかである場合、ｋ１は０であることを含む、項目１７に記載の通信デバイス。
（項目１９）
上記プロセッサは、上記第１の送信方式および第３の情報に従い、上記第２の物理チャネルの上記第２の送信方式を決定するよう特に構成され、
上記第３の情報は、フレーム構造タイプ、ユーザ機器ＵＥのクラス、上記ＵＥのカテゴリ、上記ＵＥのタイプ、変調およびコーディングスキーム、パワー設定、拡散要因、パワーブーストマルチプライヤ、試行回数、送信時間間隔バンドルサイズに関する情報、周波数ホッピング状況、性能要件、アンテナ構成、トランスポートブロックサイズ、およびトランスポート層数のうちの１または複数である、項目１３から１６のいずれか一項に記載の通信デバイス。
（項目２０）
上記プロセッサは、
上記第１の送信方式が非拡張送信モード、デフォルトの送信モード、若しくはフォールバック送信モードであり、上記ＵＥの上記クラス若しくはカテゴリが０である場合、上記第２の送信方式は拡張送信モードであると決定するよう、または
上記第１の送信方式が非拡張送信モード、デフォルトの送信モード、若しくはフォールバック送信モードであり、上記ＵＥの上記クラス若しくはカテゴリが０である場合、上記第２の送信方式は非拡張送信モード、デフォルトの送信モード、若しくはフォールバック送信モードであると決定するよう、特に構成されている、項目１９に記載の通信デバイス。
（項目２１）
上記プロセッサは、
上記第２の物理チャネルが物理アップリンク制御チャネルである、および／若しくは上記フレーム構造タイプが周波数分割デュプレックス若しくは半周波数分割デュプレックスである場合、ｋ１は０であると決定するよう、または
上記第２の物理チャネルが物理アップリンク制御チャネルであり、上記フレーム構造タイプが時分割デュプレックスシステムである場合、ｋ１は−１であると決定するよう、さらに構成されている、項目２０に記載の通信デバイス。
（項目２２）
上記プロセッサは、
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが周波数分割デュプレックス若しくは半周波数分割デュプレックスであり、および／または上記ＵＥの上記カテゴリが非ゼロ値である場合、ｋ１は０であると決定するよう、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記フレーム構造タイプが時分割デュプレックスである場合、ｋ１は−１であると決定するよう、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０である場合、ｋ１は−１であると決定するよう、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが周波数分割デュプレックス若しくは半周波数分割デュプレックスである場合、ｋ１は−１であると決定するよう、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが非ゼロ値であり、上記フレーム構造タイプが時分割デュプレックスである場合、ｋ１は−１であると決定するよう、または
上記第２の物理チャネルが物理ダウンリンクデータチャネル、物理ダウンリンク制御チャネル、拡張物理ダウンリンク制御チャネル、物理ハイブリッド自動リピート要求インジケータチャネル、および物理制御フォーマットインジケータチャネルのうちのいずれかであり、上記ＵＥの上記カテゴリが０であり、上記フレーム構造タイプが時分割デュプレックスである場合、ｋ１は−２であると決定するよう特に構成されている、項目２０に記載の通信デバイス。
（項目２３）
上記プロセッサは、
上記第２の物理チャネルが物理ブロードキャストチャネル、同期チャネル、若しくはシステム情報を有する物理ダウンリンクデータチャネルであり、上記フレーム構造タイプが周波数分割デュプレックス若しくは半周波数分割デュプレックスである場合、ｋ１は１であると決定するよう、または
上記第２の物理チャネルが物理ブロードキャストチャネル、同期チャネル、若しくはシステム情報を有する物理ダウンリンクデータチャネルであり、上記ＵＥの上記カテゴリが非ゼロ値である場合、ｋ１は１であると決定するよう、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが周波数分割デュプレックス若しくは半周波数分割デュプレックスである場合、ｋ１は１であると決定するよう、または
上記第２の物理チャネルが物理ブロードキャストチャネル、同期チャネル、またはシステム情報を有する物理ダウンリンクデータチャネルであり、上記フレーム構造タイプがシステムであり、時分割デュプレックスである場合、ｋ１は０であると決定するよう、または
上記第２の物理チャネルが物理ブロードキャストチャネル、同期チャネル、若しくはシステム情報を有する物理ダウンリンクデータチャネルであり、上記ＵＥの上記カテゴリが０である場合、ｋ１は０であると決定するよう、または
上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は０であると決定するよう、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが時分割デュプレックスである場合、ｋ１は０であると決定するよう、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが周波数分割デュプレックス若しくは半周波数分割デュプレックスである場合、ｋ１は０であると決定するよう、または
上記第２の物理チャネルが物理ブロードキャストチャネル、同期チャネル、若しくはシステム情報を有する物理ダウンリンクデータチャネルであり、上記ＵＥの上記カテゴリが０であり、ネットワークシステムが時分割デュプレックスである場合、ｋ１は−１であると決定するよう、または
上記第２の物理チャネルが物理ブロードキャストチャネル、同期チャネル、若しくはシステム情報を有する物理ダウンリンクデータチャネルであり、上記ＵＥの上記カテゴリが０であり、上記フレーム構造タイプが周波数分割デュプレックス若しくは半周波数分割デュプレックスである場合、ｋ１は−１であると決定するよう、または
上記第２の物理チャネルが物理ブロードキャストチャネル、同期チャネル、若しくはシステム情報を有する物理ダウンリンクデータチャネルであり、上記ＵＥの上記カテゴリが非ゼロ値であり、上記フレーム構造タイプが時分割デュプレックスである場合、ｋ１は−１であると決定するよう、または
上記第２の物理チャネルが物理ブロードキャストチャネル、同期チャネル、またはシステム情報を有する物理ダウンリンクデータチャネルであり、上記ＵＥの上記カテゴリが０であり、上記フレーム構造タイプが時分割デュプレックスである場合、ｋ１は−２であると決定するよう、特に構成されている、項目２０に記載の通信デバイス。
（項目２４）
上記第１の送信方式が（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、または予め指定されたチャネル上での（ｎ）番目の検出レベルであり、ｎが正の整数であり、
上記第１の送信方式に従い、第２の物理チャネルの第２の送信方式を上記決定することは、
上記第１の物理チャネルが上記第１の物理チャネルが物理ランダムアクセスチャネル若しくは拡張物理ランダムアクセスチャネルであり、上記第２の物理チャネルが物理アップリンク共有チャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、または
上記第１の物理チャネルが物理アップリンク共有チャネルであり、上記第２の物理チャネルが物理ランダムアクセスチャネル若しくは拡張物理ランダムアクセスチャネルである場合、上記第２の送信方式は、（ｎ）番目のリソース、（ｎ）番目のリソースレベル、（ｎ）番目のレベル、（ｎ）番目の拡張レベル、（ｎ）番目の繰り返しレベル、（ｎ）番目の繰り返しの構成、若しくは予め指定されたチャネル上での（ｎ）番目の検出レベルであること、を含む、項目１３から１５のいずれか一項に記載の通信デバイス。
【図１】
0006399562.tif 000002
【図２】
0006399562.tif 000003